(57)【要約】【課題】操作性の高い空気調和機の制御装置を提供すること。【解決手段】本発明の空気調和機の制御装置は、入力部３、制御決定入力部１３、入力部３もしくは制御決定入力部１３からの信号を空気調和機１４に送信する送信部６を有したリモコン１１と、前記信号を受信する受信部７、前記信号に基づいた制御を行う制御部１５、制御部１５からの音声出力信号に基づいた音声信号を生成する音声生成部９、前記音声信号に基づいた音声を出力する音声出力部１０を有した空気調和機１４とを備え、前記信号は、入力部３の入力に基づいた遠隔操作信号と、制御決定入力部１３の入力に基づいた制御決定信号で構成されるとともに、前記遠隔操作信号に基づいた音声を音声出力部１０で出力した後に、前記制御決定信号を受信部７で受信した場合は、制御部１５で空気調和機１４の制御設定を変更することを特徴とする。【選択図】図１
2007278600.tif 000002
【特許請求の範囲】
【請求項１】
入力部、制御決定入力部、前記入力部もしくは前記制御決定入力部からの信号を空気調和機に送信する送信部を有したリモコンと、前記信号を受信する受信部、前記信号に基づいた制御を行う制御部、前記制御部からの音声出力信号に基づいた音声信号を生成する音声生成部、前記音声信号に基づいた音声を出力する音声出力部を有した空気調和機とを備え、前記信号は、前記入力部の入力に基づいた遠隔操作信号と、前記制御決定入力部の入力に基づいた制御決定信号で構成されるとともに、前記遠隔操作信号に基づいた音声を前記音声出力部で出力した後に、前記制御決定信号を前記受信部で受信した場合は、前記制御部で前記空気調和機の制御設定を変更することを特徴とする空気調和機の制御装置
【請求項２】
空気調和機に、音声出力の有無を選択する音声有無選択機能を備えたことを特徴とする請求項１に記載の空気調和機の制御装置。
【請求項３】
空気調和機に、音声出力レベルを調整する音声出力レベル調整機能を備えたことを特徴とする請求項１または２に記載の空気調和機の制御装置。
【発明の詳細な説明】
【技術分野】
【０００１】
本発明は、リモコンの操作内容を音声で確認できるようにした空気調和機の制御装置に関するものである。
【背景技術】
【０００２】
従来、この種の空気調和機の制御装置は、リモコンの押ボタンなどの入力部により入力すると、入力部の入力に応じた遠隔制御信号をリモコンの送信部より送信し、空気調和機本体では、遠隔制御信号を受信部で受信するとともに、遠隔制御信号によって本体を制御するとともに、空気調和機本体に設けられた音声出力部から、遠隔制御信号に応じた設定内容を表す音声を出力する（例えば、特許文献１参照）。
【０００３】
図３は、従来の空気調和機の制御装置の構成図である。図３において、従来の空気調和機の制御装置は、リモコン１０１および空気調和機本体１０２から構成される。またリモコン１０１は、押ボタン（図示せず）により入力される入力部１０３と、入力部１０３からの入力に基づいて動作するリモコン制御部１０４と、リモコン制御部１０４からの表示信号により液晶表示する表示部１０５と、リモコン制御部１０４からの遠隔制御信号を送信する送信部１０６とを有している。空気調和機本体１０２は、リモコン１０１からの遠隔制御信号を受信する受信部１０７と、受信部１０７により受信された遠隔制御信号に基づいて空気調和機本体１０２の動作を制御する制御部１０８と、制御部１０８からの音声出力信号に基づいて音声を生成する音声生成部１０９と、音声生成部１０９により生成された音声信号に基づいて音声を出力する音声出力部１１０とを有している。
【特許文献１】特開２００１−１２８２６４号公報
【発明の開示】
【発明が解決しようとする課題】
【０００４】
しかしながら、従来の構成では、暗所でリモコンを操作しようとしたり、視覚障害者や視力の低下した人がリモコンを操作しようとする際、液晶などの表示部に表示されている内容や操作ボタンなどを確認することが困難であるので、誤った操作（誤操作による運転停止、誤操作による運転モードの変更）をした場合、快適性が著しく悪化するという課題を有していた。
【０００５】
本発明は、前記従来の課題を解決するもので、操作性の高い空気調和機の制御装置を提供することを目的とする。
【課題を解決するための手段】
【０００６】
前記従来の課題を解決するために、本発明の空気調和機の制御装置は、入力部、制御決定入力部、前記入力部もしくは前記制御決定入力部からの信号を空気調和機に送信する送信部を有したリモコンと、前記信号を受信する受信部、前記信号に基づいた制御を行う制御部、前記制御部からの音声出力信号に基づいた音声信号を生成する音声生成部、前記音声信号に基づいた音声を出力する音声出力部を有した空気調和機とを備え、前記信号は、前記入力部の入力に基づいた遠隔操作信号と、前記制御決定入力部の入力に基づいた制御決定信号で構成されるとともに、前記遠隔操作信号に基づいた音声を前記音声出力部で出力した後に、前記制御決定信号を前記受信部で受信した場合は、前記制御部で前記空気調和機の制御設定を変更することを特徴とするものである。
【０００７】
これによって、暗所でリモコンを操作したり、視覚障害者や視力の低下した人がリモコンを操作しようとする際にも、音声で操作内容を確認した後に、制御決定入力部での入力
により空気調和機本体の制御を決定するため、誤操作を回避することができ、操作性が向上する。
【発明の効果】
【０００８】
操作性の高い空気調和機の制御装置を提供することができる。
【発明を実施するための最良の形態】
【０００９】
第１の発明の空気調和機の制御装置は、入力部、制御決定入力部、前記入力部もしくは前記決定入力部からの信号を空気調和機に送信する送信部を有したリモコンと、前記信号を受信する受信部、前記信号に基づいた制御を行う制御部、前記制御部からの音声出力信号に基づいた音声信号を生成する音声生成部、前記音声信号に基づいた音声を出力する音声出力部を有した空気調和機とを備え、前記信号は、前記入力部の入力に基づいた遠隔操作信号と、前記制御決定入力部の入力に基づいた制御決定信号で構成されるとともに、前記遠隔操作信号に基づいた音声を前記音声出力部で出力した後に、前記制御決定信号を前記受信部で受信した場合は、前記制御部で前記空気調和機の制御設定を変更することにより、暗所でリモコンを操作したり、視覚障害者や視力の低下した人がリモコンを操作しようとする際にも、音声で操作内容を確認した後に、制御決定入力部での入力により空気調和機本体の制御を決定するため、誤操作を回避することができ、操作性が向上する。
【００１０】
第２の発明の空気調和機の制御装置は、特に第１の発明において、空気調和機に、音声出力の有無を選択する音声有無選択機能を備えたことにより、表示を確認できる場合など必要に応じて音声出力を無くすことができ、静粛性を保つことができる。
【００１１】
第３の発明の空気調和機の制御装置は、特に第１または第２の発明において、空気調和機に、音声出力レベルを調整する音声出力レベル調整機能を備えたことにより、周囲の騒音が大きい場合など必要に応じて音声出力レベルを調整することができるので、操作内容の認知性を高めることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の制御装置の構成図を示すものである。図１において、本発明の空気調和機の制御装置は、リモコン１１と空気調和機本体１４で構成される。リモコン１１は、押しボタンなどで構成され、信号を出力する入力部３と、音声出力される内容の制御を決定する信号を出力する制御決定入力部１３と、入力部３および制御決定入力部１３で出力される信号を処理するリモコン制御部１２と、液晶画面などで構成され、入力部３から出力される信号の内容を表示する表示部５と、信号を空気調和機本体１４に送信する送信部６を有している。
【００１４】
リモコン制御部１２は、入力部３からの入力に基づいて表示部５で設定を表示するとともに、遠隔制御信号を送信部６を通じて空気調和機本体１４に送信する。同様に、リモコン制御部１２は、制御決定入力部１３からの入力により、制御決定信号を送信部６を通じて空気調和機本体１４に送信する。
【００１５】
また空気調和機本体１４は、リモコン１１から送信される信号を受信する受信部７と、受信する信号に基づいた制御を行う制御部１５と、前記信号に基づいた音声信号を生成する音声生成部９と、前記音声信号に基づいた音声を出力する音声出力部１０と、音声を出力する／しないを選択する音声有無選択機能１６と、音声出力レベルを調整する音声出力レベル調整機能１７とを有している。
【００１６】
制御部１５は、受信部７で受信した遠隔制御信号に基づき、音声出力信号を出力する。音声生成部９では、制御部１５からの音声出力信号に基づいて音声信号を生成する。音声出力部１０では、音声信号に基づいた音声を出力する。また、制御部１５は、音声出力部１０で音声を出力した後に、制御決定信号を受信すると空気調和機本体１４の制御を変更する。なお、音声出力部１０は、スピーカなど音声を出力できるもので構成されている。
【００１７】
また、音声有無選択機能１６において、音声出力を「有り」に設定すると音声を出力し、「無し」に設定すると音声を出力しないようにすることができる。また音声出力レベル調整機能１７において、音声出力が「有り」に設定されている場合、状況に合わせて、音声出力レベルを変更することができる。以上のように構成された空気調和機の制御装置について、以下、図２を用いて動作を説明する。
【００１８】
図２は、本発明の第１の実施の形態における空気調和機の制御装置の制御フローチャートである。図２において、まずステップ１で受信部７にリモコン１１から遠隔制御信号が送信されてきたかどうかを判別する。遠隔制御信号が送信されていなければ、ステップ１を繰り返し、遠隔制御信号が送信されていればステップ２に進む。
【００１９】
ステップ２では、音声出力が「有り」になっているか、「無し」になっているかを判別する。「無し」になっていれば、ステップ６に進み、入力部３によって入力された制御を制御部１５で実行し、空気調和機本体１４の設定を変更する。一方、「有り」になっていれば、ステップ３に進む。
【００２０】
ステップ３では、ステップ１で受信した遠隔制御信号の内容に応じて、制御部１５が音声出力信号を出力する。そして音声出力信号に基づいて、音声生成部９が音声信号を生成する。さらに、音声信号に基づいて音声出力部１０から、音声出力レベル調整機能１７で設定した音量で音声を出力し、ステップ４に進む。
【００２１】
ステップ４では、受信部７が、制御決定入力部１３から出力された制御決定信号を受信されたかどうかを判別する。ステップ３において、ユーザーは、音声出力部１０から出力される音声を聞き、その音声内容が正しければ、リモコン１１に設けられた制御決定入力部１３を押し、ステップ６に進む。押しボタンなどで構成されている制御決定入力部１３を押すことで、リモコン１１の送信部６から空気調和機本体１４の受信部７へ制御決定信号を送信する。また音声内容が正しくなければ、制御決定入力部１３で入力せずに、ステップ５に進み、再度、入力部３を押下することで遠隔制御信号を送信する。
【００２２】
ステップ６では、入力部３によって入力された制御内容が決定されたので、空気調和機本体をその制御内容に変更する。
【００２３】
上記のような制御フローを例を挙げて説明する。例えば、温度変更をする時に、２４℃設定から２６℃設定に変更したいときなど、温度設定変更ボタンを押下することで、遠隔制御信号が送信される。その遠隔制御信号を受信部で受信すると、音声出力部から変更をする旨の音声が出力されるので、それが正しければ、再度、リモコンに設けられた制御決定入力部を押下し、制御内容を決定し、空気調和機本体の設定を変更する。
【００２４】
以上のように、ユーザーは、リモコンで指定した制御内容を聞いてから、その制御を決定できるので、暗がりでリモコンを操作しようとしたり、視覚障害者や視力の低下した人がリモコンを操作しようとする際に誤った設定に変更することを回避できる。
【産業上の利用可能性】
【００２５】
本発明に係る空気調和装置の制御装置は、空気調和機のほか、リモコンを有する各種機器に適用でき、例えばオーディオなどの用途にも適用できる。
【図面の簡単な説明】
【００２６】
【図１】本発明の第１の実施の形態における空気調和機の制御装置の構成図
【図２】同実施の形態における制御フローチャート
【図３】従来の空気調和機の制御装置の構成図
【符号の説明】
【００２７】
３  入力部
５  表示部
６  送信部
７  受信部
９  音声生成部
１０  音声出力部
１１  リモコン
１２  リモコン制御部
１３  制御決定入力部
１４  空気調和機本体
１５  制御部
１６  音声有無選択機能
１７  音声出力レベル調整機能
【図１】
2007278600.tif 000003
【図２】
2007278600.tif 000004
【図３】
2007278600.tif 000005